(57)【要約】      （修正有）【課題】箱型トラックの車種により異なる形態の後部に対応し、又、その後部の凹凸や突起物に良く馴染んで気密性を保持できる入出荷時における箱型トラックの荷台と建物のプラットホームとの間の気密保持ブラシシェルター装置を得る。【解決手段】腰の強い強靭な剛毛又は剛毛状の繊維を大量に密に植毛されて気密性を具有するブラシ９を、入出荷時における箱型トラックの荷台１２と建物のプラットホーム１１の前端位置との間の隙間１３を閉塞する位置に設ける。【選択図】図３
0003111365.tif 000002
【実用新案登録請求の範囲】
【請求項１】
腰の強い強靭な剛毛又は剛毛状の繊維を大量に密に植毛されて気密性を具有するブラシ９を、入出荷時における箱型トラックの荷台１２と建物のプラットホーム１１の前端位置との間の隙間１３を閉塞する位置に設けることを特徴とする入出荷時における箱型トラックの荷台と建物のプラットホームとの間の気密保持ブラシシェルター装置。
【請求項２】
所要長さの軸１と、該軸１の両端部に位置させた軸受け２と、該軸受け２に固着されたベースプレート３と、該軸１の一端部に先端部が固定された補助棒４と、該軸１の両端部において同一方向に平行して張出するような角度位置で取り付けられた所要長さのブラシ受けプレート６と、該ブラシ受けプレート６に構造的に支持された、腰の強い強靭な剛毛又は剛毛状の繊維で該ブラシ受けプレート６と平行な方向に沿って大量に密に植毛されて気密性を有するブラシ９とを含むことを特徴とする入出荷時における箱型トランクの荷台と建物のプラットホームとの間の気密保持ブラシシェルター装置。
【請求項３】
前記ブラシ９は、前記ブラシ受けプレート６の延長方向に沿って進退運動可能とした請求項２記載の入出荷時における箱型トラックの荷台と建物のプラットホームとの間の気密保持ブラシシェルター装置。
【考案の詳細な説明】
【技術分野】
【０００１】  本考案は、気密性のある箱型トラックと気密性のある建物との間で荷物の積み卸しをする際に、該箱型トラックと該建物付帯のプラットホームとの間の気密性を保ち、それによって該箱型トラックと該建物のそれぞれの気密を保持できるようにした入出荷時における箱型トラックの荷台と建物のプラットホームとの間の気密保持ブラシシェルター装置に関するものである。
【背景技術】
【０００２】  根菜類や魚介類等の生鮮食料品をはじめとする食品や生活必需品その他の消費物資の品質管理が厳しく要求されるようになってきた。その品質管理の一部に環境維持の気密性の保持が重要な要素になってきている。【０００３】  従来、気密性のある建物に気密性のある箱型トラックを接車して入出荷する際に、建物及びトラックの荷台のそれぞれの気密性を保持する手段として、当該建物の扉とトラックの荷台後部との間に必然的に出現する隙間を、シートのれん、カーテン、スポンジ、送風機付風船、毛布等を用いて塞いでいるのが一般的に行われているやり方である。【０００４】  上記の如きシートのれん、カーテン、スポンジ、送風機付風船、毛布等は破損し易いだけでなく、それらは、箱型トラックの車種により異なる形態の後部に対して或いはその後部の凹凸に対して馴染み難く気密性に欠ける外、設備費用も相当に高価である等の幾多の欠点があった。【０００５】  そのために、箱型トラックの後部形態の違いや凹凸に馴染み易く、取替えが簡単である外、安価で気密性の高い装置の提供が関係方面から強く要請されていた。
【考案の開示】
【考案が解決しようとする課題】
【０００６】  そこで、本考案は、箱型トラックの車種により異なる形態の後部に対応できるだけでなく、その後部の凹凸や突起物に良く馴染んで気密性を保持できる安価な入出荷時における箱型トラックの荷台の後端部と建物のプラットホームの前端位置との間の気密保持ブラシシェルター装置を得ようとするものである。
【課題を解決するための手段】
【０００７】  本考案は上記の如き観点に鑑みてなされたものであって、腰の強い強靭な剛毛又は剛毛状の繊維を大量に密に植毛されて気密性を具有するブラシを、入出荷時における箱型トラックの荷台の後端部と建物のプラットホームの前端位置との間の隙間を閉塞する位置に設ける入出荷時における箱型トラックの荷台と建物のプラットホームとの間の気密保持ブラシシェルター装置を提供しようとするものである。【０００８】  さらに、所要長さの軸と、該軸の両端部に位置させた軸受けと、該軸受けに固着されたベースプレートと、該軸の一端部に先端部が固定された補助棒と、該軸の両端部において同一方向に平行して張出するような角度位置で取り付けられた所要長さのブラシ受けプレートと、該ブラシ受けプレートに構造的に支持された、腰の強い強靭な剛毛又は剛毛状の繊維で該ブラシ受けプレートと平行な方向に沿って大量に密に植毛されて気密性を有するブラシとからなり、必要に応じて、ブラシは前記ブラシ受けプレートの延長方向に沿って進退運動可能とした入出荷時における箱型トラックの荷台と建物のプラットホームとの間の気密保持ブラシシェルター装置を提供しようとするものである。
【考案の効果】
【０００９】  本考案に係る入出荷時における箱型トラックの荷台と建物のプラットホームとの間の気密保持ブラシシェルター装置は、上記の如き手段を講じてあるから、腰の強い強靭な細い剛毛又は剛毛状の繊維を大量に密に植毛されて気密性を具有するブラシは、入出荷時における箱型トラックの荷台の後端部と建物のプラットホームの前端位置との間の隙間を閉塞し、又、建物のプラットホームの所定の前端近傍に平行に設置された位置からそのブラシ繊維方向に多少前後可動とすることによって、入出荷時における箱型トラックの荷台の後端部と建物のプラットホームの前端位置との間の隙間を閉塞する位置に移動させることができる。【００１０】  その際、前記ブラシは、その先端が、該箱型トラックの荷台の後部の形態に即応してその隙間を気密性高く閉塞できる。【００１１】  また、前記ブラシは取替自在とすることによって、使用によるブラシの変形や脱毛等によって気密性能が劣化したときには、新規のブラシと適時に交換して気密性能の維持を図ることができる。【００１２】  このように、本考案に係る入出荷時における箱型トラックの荷台と建物のプラットホームとの間の気密保持ブラシシェルター装置によれば、気密性のある箱型トラックと気密性のある建物との間で荷物の積み卸しをする際の空間の気密性を保つことができるから、根菜類や魚介類等の生鮮食料品をはじめとする食品や生活必需品その他の消費物資の厳密な品質保持管理に多大の貢献をすることができる。
【考案を実施するための最良の形態】
【００１３】  以下、図面を参照しながら説明する。
図１は本考案の一実施例の気密保持ブラシシェルター装置の構成を示す斜視図であり、図２は図１の横断面図である。図３は使用状態の構成を示す斜視図である。図中、１は所定長さの金属製、プラスチック製、又は木製等の軸１である。該軸１は両端部に位置させた軸受け２に対して回転可能に軸支され、該各軸受け２にはそれぞれベースプレート３が固着されている。該軸１の一端部には補助棒４の先端部が固定され、該補助棒４の自由端部には把手玉５が付設されている。【００１４】  前記軸１の両端部には、又、所要長さのブラシ受けプレート６の一端部を、該ブラシ受けプレート６が同一方向に平行して張出するような角度位置で取り付けられている。該各ブラシ受けプレート６にはその長手方向に沿うボルト長穴（図示されていない）が溝設され、該各長穴にボルト７が摺動自在に取り付けられている。【００１５】  前記各ボルト７にはブラシ固定金物８の一端部が固定され、該各ボルト７の往復動により該各ブラシ固定金物８はそのブラシ受けプレート６の延長方向に沿って進退運動する。【００１６】  前記ブラシ固定金物８，８の間には、腰の強い強靭な剛毛又は剛毛状の繊維で前記ブラシ受けプレート６と平行な方向に沿って大量に密に植毛されて気密性を具有するブラシ９が取付支持されており、それによって該ブラシ９は前後方向に適宜進退移動できる。【００１７】  以上の如く構成された気密保持ブラシシェルター装置１０は、補助棒４を把手玉５を持って回転すると、軸１はそれと一体に回転し、それによってブラシ受けプレート６を介してブラシ固定金物８に保持されたブラシ９がその回転方向に回動する。【００１８】  従って、前記気密保持ブラシシェルター装置１０を、気密性のある建物に付設されたプラットホーム１１の所定の前端近傍に平行に置き、そのベースプレート３で該プラットホーム１１に固定する。そこで、前記補助棒４のハンドル操作を行い、入出荷時におけるプラットホーム１１の前端位置と箱型トラックの荷台１２の後端部との間の隙間１３を閉鎖する。【００１９】  そのうえで、前記ブラシ９の位置を、必要に応じて、そのブラシ繊維方向に前後させて調節すれば、入出荷時における箱型トラックの荷台１２の後端部と建物のプラットホーム１１の前端位置との間の隙間１３を、箱型トラック荷台１２の後端部の形態に即応して塞ぐので気密性を高くできる。【００２０】  また、前記ブラシ９は取替自在に構成されているから、気密性能が劣化したときには、別個の新しいブラシと適時に交換して気密性能の維持更新を図ることができる。【００２１】  １４は気密性のある建物のドア、１５は同ドアのドア枠、１６は同サイドシェルター、１７はプラットホームの先端側面に固定されたＤ型ダンパーである。【００２２】  次に、図４は本考案の他の実施例の気密保持ブラシシェルター装置の構成を示す断面図である。図５は同シェルター装置の使用状態の構成を示す斜視図であり、図６は同シェルター装置の使用状態の構成を示す断面図である。図中、２１は所定長さのブラシ固定金物である。該ブラシ固定金物２１は断面コ型に形成されたブラシ承部において、腰の強い強靭な剛毛又は剛毛状の繊維で大量に密に植毛されて気密性を具有するブラシ２２の末端部が固定されている。該ブラシ固定金物２１はプラットホーム１１の所定の前端近傍に平行に固定され、それによって該ブラシ２２はプラットホームの先端側面に固定されたＤ型ダンパー１７の上方を覆うように位置している。それによって、入出荷時における箱型トラックの荷台１２の後端部とプラットホーム１１の前端位置との間に必然的に形成される隙間１３が塞がれる。
【図面の簡単な説明】
【００２３】
【図１】本考案の一実施例の気密保持ブラシシェルター装置の構成を示す斜視図である。
【図２】本考案の一実施例の気密保持ブラシシェルター装置の構成を示す横断面図である。
【図３】本考案の一実施例の気密保持ブラシシェルター装置の使用状態の構成を示す斜視図である。
【図４】本考案の他の実施例の気密保持ブラシシェルター装置の構成を示す断面図である。
【図５】本考案の他の実施例の気密保持ブラシシェルター装置の使用状態の構成を示す斜視図である。
【図６】本考案の他の実施例の気密保持ブラシシェルター装置の使用状態の構成を示す断面図である。
【符号の説明】
【００２４】  １  軸
２  軸受け
３  ベースプレート
４  補助棒
５  把手玉
６  ブラシ受けプレート
７  ボルト
８  ブラシ固定金物
９  ブラシ
１０  気密保持ブラシシェルター装置
１１  プラットホーム
１２  荷台
１３  隙間
１４  気密性のある建物のドア
１５  気密性のある建物のドアのドア枠
１６  気密性のある建物のサイドシェルター
１７  プラットホームの先端側面に固定されたＤ型ダンパー
２１  ブラシ固定金物
２２  ブラシ
【図１】
0003111365.tif 000003
【図２】
0003111365.tif 000004
【図３】
0003111365.tif 000005
【図４】
0003111365.tif 000006
【図５】
0003111365.tif 000007
【図６】
0003111365.tif 000008